(57)【特許請求の範囲】
【請求項１】
エレベータやビル内設備の状態や異常をメンテナンスセンタから電話回線を介して遠隔に監視する非常通報装置において、
上記メンテナンスセンタに電話回線を介して接続された網制御手段と、
該網制御手段を介して上記メンテナンスセンタとモデムおよびＰＢ信号を使ってデータ伝送を行う伝送手段と、
上記網制御手段を介して回線上の信号有無を検出するレベル検出手段と、
上記ＰＢ信号の受信幅を測定する計測手段と、
上記各手段を制御する中央処理手段と
を備え、上記中央処理手段は、上記伝送手段からＰＢ信号のコードを受け取ると、上記レベル検出手段によって信号有の信号を受け取り、そのＰＢ信号の受信幅を上記計測手段で測定し、その測定した受信幅が所定の受信幅であるかどうかを判別し、その判別結果に基づいて接続されている相手がデータ送信許可できる相手かどうかを確認することを特徴とする非常通報装置。
【請求項２】
上記伝送手段として、ＰＢトランシーバ内蔵ＡＴコマンドモデムを用いたことを特徴とする請求項１記載の非常通報装置。
【発明の詳細な説明】
【０００１】
【発明の属する技術分野】
この発明は、非常通報装置に関し、特に、エレベータやビル内設備の状態や異常をメンテナンスセンタから電話回線を介して遠隔に監視する非常通報装置に関するものである。
【０００２】
【従来の技術】
一般に非常通報装置は、データ通信にＰＢ信号とモデム信号を使用している。従来の非常通報装置は、ビル側とメンテナンスセンタとのセキュリティー性を確保するために、ＰＢトランシーバを使用し、１キャラクタのＰＢ信号のコードと送受信時間を測定するプロトコルを実現している。そのプロトコルの一例を図２に基づいて説明する。
【０００３】
図２（ａ）に示すように、ＰＢトランシーバを実装したビル側非常通報装置１とメンテナンスセンタ側通信機２は電話回線３で接続されている。その後、お互いにＰＢ信号の１キャラクタの幅がｔ時間の、図２（ｂ）に示すような、ＰＢ信号を送信する。例えば、ビル側非常通報装置１側からＰＢ信号Ａを送信し、メンテナンスセンタ側通信機２側からＰＢ信号Ｂを送信する。ＰＢ信号を受信した方はそのＰＢ信号のコードとＰＢ信号受信幅ｔを測定する。予め決めていたＰＢ信号のコードとＰＢ信号受信幅ｔを満足すると、送受信可能な相手としてデータ通信許可状態にし、モデム信号によるデータ通信へ移行する。
【０００４】
【発明が解決しようとする課題】
ところで、上記のような従来の非常通報装置は、ほとんどのＡＴコマンドモデムがＰＢトランシーバを内蔵しているにも拘わらず、ＰＢ信号受信幅を測定するためにＰＢトランシーバを実装しなければならないという問題点があった。
【０００５】
この発明は、上記の様な従来の問題点を解消するためになされたものであり、ＰＢトランシーバを実装せずにＰＢ信号受信幅を測定できる非常通報装置を提供することを目的とする。
【０００６】
【課題を解決するための手段】
この発明に係る非常通報装置は、エレベータやビル内設備の状態や異常をメンテナンスセンタから電話回線を介して遠隔に監視する非常通報装置において、上記メンテナンスセンタに電話回線を介して接続された網制御手段と、該網制御手段を介して上記メンテナンスセンタとモデムおよびＰＢ信号を使ってデータ伝送を行う伝送手段と、上記網制御手段を介して回線上の信号有無を検出するレベル検出手段と、上記ＰＢ信号の受信幅を測定する計測手段と、上記各手段を制御する中央処理手段とを備え、上記中央処理手段は上記伝送手段からＰＢ信号のコードを受け取ると、上記レベル検出手段によって信号有の信号を受け取り、そのＰＢ信号の受信幅を上記計測手段で測定し、その測定した受信幅が所定の受信幅であるかどうかを判別し、その判別結果に基づいて接続されている相手がデータ送信許可できる相手かどうかを確認するものである。
【０００７】
また、この発明に係る非常通報装置は、上記伝送手段として、ＰＢトランシーバ内蔵ＡＴコマンドモデムを用いたものである。
【０００８】
【発明の実施の形態】
以下、この発明の実施の形態を、図に基づいて説明する。
実施の形態１．
図１は、この発明の実施の形態１による非常通報装置を示すブロック図である。
図１において、１０は非常通報装置、２０はメンテナンスセンタ、３０は非常通報装置１０とメンテナンスセンタ２０を接続する電話回線である。
【０００９】
非常通報装置１０は、中央処理手段としての中央処理装置１１と、網制御手段としての網制御装置１２と、中央処理装置１１と網制御装置１２の間に設けられ、回線上の信号有無を検出するレベル検出手段としてのレベル検出器１３と、中央処理装置１１と網制御装置１２の間に設けられ、メンテナンスセンタ２０からのＰＢ信号を網制御装置１２を介して受信し、そのコードを検出する伝送手段としてのＰＢトランシーバ内蔵ＡＴコマンドモデム１４と、中央処理装置１１に接続され、レベル検出器１３で検出した信号の受信幅を測定するための計測手段としての時計１５とを有する。メンテナンスセンタ２０は網制御装置１２に電話回線３０を介して接続され、非常通報装置１０の中央処理装置１１を監視する。
【００１０】
次に、動作について説明する。
非常通報装置１０とメンテナンスセンタ２０のＰＢ信号によるデータ通信時、メンテナンスセンタ２０からのＰＢ信号は、網制御装置１２を通ってレベル検出器１３とＰＢトランシーバ内蔵ＡＴコマンドモデム１４に入力される。ＰＢトランシーバ内蔵ＡＴコマンドモデム１４がＰＢ信号のコードを検出し、そのコードを中央処理装置１１へ知らせる。それと同時に、レベル検出器１３は何らかの信号の有を検出し、中央処理装置１１へ知らせる。中央処理装置１１はＰＢトランシーバ内蔵ＡＴコマンドモデム１４からＰＢ信号のコードを受け取ると、レベル検出器１３によって信号有の信号を受け取り、その受信幅を時計１５で測定し、接続されている相手がデータ送信許可できる相手かどうかを確認する。
【００１１】
このようにして、本実施の形態では、ＰＢトランシーバ内蔵ＡＴコマンドモデムでＰＢ信号受信を検出し、また、ＰＢ信号の有無をレベル検出器で検出し、ＰＢ信号のコードとＰＢ信号受信幅を時計で測定できるようにしたため、ＰＢトランシーバを実装せずにＰＢ信号の受信幅を測定でき、つまり、ＰＢトランシーバを使用せずにＰＢ信号を受信している状態を実質的にリアルタイムに検出できる。また、ＰＢトランシーバを不要にしたため回路構成が簡素化でき低コスト化を実現できる。さらに、近年の高度化したＡＴコマンドモデムをコマンドで制御しＰＢ信号の有無をレベル検出器で検出できるようにしたため、ソフトウエア開発が容易になる。
【００１２】
【発明の効果】
以上説明したように、この発明によれば、エレベータやビル内設備の状態や異常をメンテナンスセンタから電話回線を介して遠隔に監視する非常通報装置において、上記メンテナンスセンタに電話回線を介して接続された網制御手段と、該網制御手段を介して上記メンテナンスセンタとモデムおよびＰＢ信号を使ってデータ伝送を行う伝送手段と、上記網制御手段を介して回線上の信号有無を検出するレベル検出手段と、上記ＰＢ信号の受信幅を測定する計測手段と、上記各手段を制御する中央処理手段とを備え、上記中央処理手段は上記伝送手段からＰＢ信号のコードを受け取ると、上記レベル検出手段によって信号有の信号を受け取り、そのＰＢ信号の受信幅を上記計測手段で測定し、その測定した受信幅が所定の受信幅であるかどうかを判別し、その判別結果に基づいて接続されている相手がデータ送信許可できる相手かどうかを確認するようにしたので、ＰＢトランシーバを実装せずにＰＢ信号の受信幅が検出でき、トランシーバを不要にしたので、回路構成の簡略化、コストの低廉化が図れ、また、ソフトウエア開発が容易になるという効果がある。
【００１３】
また、この発明によれば、上記伝送手段として、ＰＢトランシーバ内蔵ＡＴコマンドモデムを用いたので、回路構成の簡略化、コストの低廉化、ソフトウエア開発の容易化に寄与できるという効果がある。
【図面の簡単な説明】
【図１】  この発明の実施の形態１による非常通報装置を示すブロック図である。
【図２】  従来の非常通報装置におけるプロトコルの一例を示す図である。
【符号の説明】
１０  非常通報装置、    １１  中央処理装置、    １２  網制御装置、    １３  レベル検出器、    １４  ＰＢトランシーバ内蔵ＡＴコマンドモデム、
１５  時計、    ２０  メンテナンスセンタ。
【図１】
0004318891.tif 000002
【図２】
0004318891.tif 000003